(57)【要約】【課題】効果的な防滴を図ることができる照光機構付き回転式電子部品の防滴構造を提供すること。【解決手段】回路基板１５０の一方の面に電子部品１５５（ａ〜ｅ）を搭載し、他方の面側に回転つまみ１００を配置する。回転つまみ１００の回転に応じて出力を変化する検出手段（摺動子１３０と摺接パターン１５３）を設ける。回路基板１５０と回転つまみ１００を第１，第２，第３ケース１０，５０，２５０内に収納し、第３ケース２５０の開口２５１から回転つまみ１００のつまみ操作面１０５を露出する。第１，第２，第３ケース１０，５０，２５０内に発光素子１５５ａと、発光素子１５５ａが照射した光を導入してつまみ操作面１０５を光らせる導光体２００を設置する。導光体２００を、回路基板１５０の一方の面上の電子部品１５５を覆う構造にして、第３ケース２５０の開口２５１から浸入する液体の電子部品１５５への浸入を防止する。【選択図】図２
2015106514.tif 000002
【特許請求の範囲】
【請求項１】
回路基板の一方の面に電子部品を搭載すると共に、他方の面側又は前記一方の面側に回転つまみを配置し、回転つまみと回路基板の間に回転つまみの回転に応じて出力を変化する検出手段を設け、これら回路基板と回転つまみをケース内に収納し、ケースに設けた開口から前記回転つまみの外周の一部を露出してこの露出した外周面をつまみ操作面とし、さらに前記ケース内には発光素子及び前記発光素子が照射した光を導入して前記ケースの開口周囲又は前記回転つまみのつまみ操作面を光らせる導光体を有してなる照光機構付き回転式電子部品であって、
前記導光体は、前記回路基板の一方の面上の電子部品を覆う構造とすることで、前記ケースの開口から浸入する液体の前記電子部品への浸入を防止することを特徴とする照光機構付き回転式電子部品の防滴構造。
【請求項２】
請求項１に記載の照光機構付き回転式電子部品の防滴構造であって、
前記発光素子は、前記回路基板の一方の面の電子部品に含まれることを特徴とする照光機構付き回転式電子部品の防滴構造。
【請求項３】
請求項１又は２に記載の照光機構付き回転式電子部品の防滴構造であって、
前記導光体は前記電子部品を囲む回路基板面に当接する当接部を有していることを特徴とする照光機構付き回転式電子部品の防滴構造。
【請求項４】
請求項１又は２又は３に記載の照光機構付き回転式電子部品の防滴構造であって、
前記回転つまみは前記回路基板の他方の面側に配置されており、
前記導光体は、前記ケースの開口側の部分を回路基板の端辺から他方の面側に延ばしてなる照光部を有し、
前記照光部を前記回転つまみに設けた溝に挿入することで、回転つまみのつまみ操作面をその裏面側から照光すると共に、前記ケースの開口から前記回転つまみの溝内に浸入してくる液体を前記検出手段から左右離れる方向に導くことを特徴とする照光機構付き回転式電子部品の防滴構造。
【発明の詳細な説明】
【技術分野】
【０００１】
本発明は、回転つまみとこの回転つまみを露出させるケースの開口との隙間からケース内に浸入する液体が、ケース内に設置された各種電子部品などに浸入するのを防止する照光機構付き回転式電子部品の防滴構造に関するものである。
【背景技術】
【０００２】
従来、回転式電子部品の中には、例えば特許文献１に示すように、回転式電子部品（１）の回転つまみ（３０）の外周部分の一部をケース（１００，１０）に設けた開口（１０５）から外部に露出し、回転つまみ（３０）の前記開口（１０５）から露出した部分を指などで回転操作することで、ケース（１００，１０）内の図示しない電気的機能部を駆動し、その検出出力を変化させる構造のものがある。
【０００３】
そして前記開口（１０５）と回転つまみ（３０）の間の隙間から浸入する液体が前記電気的機能部に付着しないように、前記開口（１０５）と回転つまみ（３０）の間の隙間を塞ぐゴム状防滴板（６０）を設置している。なお回転つまみ（３０）のつまみ操作面（３１）は、その裏面側に設置された導光体（２３）からの光によって照光される。
【先行技術文献】
【特許文献】
【０００４】
【特許文献１】特開２０１１−１３４５７３号公報
【発明の概要】
【発明が解決しようとする課題】
【０００５】
しかしながら、上記従来の回転式電子部品（１）の防滴構造では、ゴム状防滴板（６０）を設置しなければならないので、部品点数が増加して製造コストが増加するばかりか組立工程が煩雑になる。またゴム状防滴板（６０）が回転つまみ（３０）に当接するので回転つまみ（３０）の回転動作に抵抗を生じ、回転つまみ（３０）のスムーズな操作が阻害される恐れがある。さらに上記のようなゴム状防滴板（６０）を取り付けても、一部の水はこのゴム状防滴板（６０）を通り抜けてケース（１００）内部に入り込み、一旦水が、ケース（１００）内に浸入してしまうと、ケース（１００）内部には防滴機構を備えていないので、これを防滴することができず、内部の電子部品等に、浸入した水が付着してしまう恐れがあった。
【０００６】
本発明は上述の点に鑑みてなされたものでありその目的は、効果的な防滴を行うことができ、また部品点数の削減が図れて製造コストが削減化でき、さらに回転つまみの回転がスムーズに行える照光機構付き回転式電子部品の防滴構造を提供することにある。
【課題を解決するための手段】
【０００７】
本発明は、回路基板の一方の面に電子部品を搭載すると共に、他方の面側又は前記一方の面側に回転つまみを配置し、回転つまみと回路基板の間に回転つまみの回転に応じて出力を変化する検出手段を設け、これら回路基板と回転つまみをケース内に収納し、ケースに設けた開口から前記回転つまみの外周の一部を露出してこの露出した外周面をつまみ操作面とし、さらに前記ケース内には発光素子及び前記発光素子が照射した光を導入して前記ケースの開口周囲又は前記回転つまみのつまみ操作面を光らせる導光体を有してなる照光機構付き回転式電子部品であって、前記導光体を、前記回路基板の一方の面上の電子部品を覆う構造とすることで、前記ケースの開口から浸入する液体の前記電子部品への浸入を防止することを特徴としている。
このように構成すれば、導光体に、光を導く機能の他に、回路基板に取り付けた電子部品の防滴機能も併せ持たせることができる。即ち、部品点数を増加することなく、電子部品の防滴を効果的に行うことができる。
【０００８】
また本発明は、前記発光素子が、前記回路基板の一方の面の電子部品に含まれることを特徴としている。
これによって発光素子自体も導光体によって防滴されることになる。
【０００９】
また本発明は、前記導光体が前記電子部品を囲む回路基板面に当接する当接部を有していることを特徴としている。
これによって電子部品を確実に防滴できる。特に電子部品の全周を囲む回路基板面に導光体の当接部を設けた場合は、防滴効果がより増大する。
【００１０】
また本発明は、前記回転つまみが前記回路基板の他方の面側に配置されており、前記導光体が、前記ケースの開口側の部分を回路基板の端辺から他方の面側に延ばしてなる照光部を有し、前記照光部を前記回転つまみに設けた溝に挿入することで、回転つまみのつまみ操作面をその裏面側から照光すると共に、前記ケースの開口から前記回転つまみの溝内に浸入してくる液体を前記検出手段から左右離れる方向に導くことを特徴としている。
導光体に設けた照光部に、回転つまみのつまみ操作面を照光する機能と同時に、ケースの開口から回転つまみの溝内に浸入してきた液体を検出手段から離れる方向に導いて防滴する機能を併せ持たせることができる。
【発明の効果】
【００１１】
本発明によれば、効果的な防滴を行うことができ、また部品点数の削減が図れて製造コストの削減化が図れ、さらに回転つまみの回転をスムーズに行わせることができる。
【図面の簡単な説明】
【００１２】
【図１】回転式電子部品１の斜視図である。
【図２】回転式電子部品１の概略断面図（図１のＡ−Ａ概略断面図）である。
【図３】回転式電子部品１（その一部の部品）の分解斜視図である。
【図４】回転式電子部品１（残りの部品）の分解斜視図である。
【図５】別の方向から見た回転式電子部品１（その一部の部品）の分解斜視図である。
【図６】別の方向から見た回転式電子部品１（残りの部品）の分解斜視図である。
【図７】回路基板１５０と導光体２００の斜視図である。
【図８】導光体２００を回路基板１５０側から見た図である。
【図９】回路基板１５０に導光体２００を装着した状態を示す斜視図である。
【図１０】回転つまみ１００を別の角度から見た斜視図である。
【発明を実施するための形態】
【００１３】
以下、本発明の実施形態を図面を参照して詳細に説明する。図１は本発明の一実施形態を用いて構成された回転式電子部品１の斜視図、図２は回転式電子部品１の概略断面図（図１のＡ−Ａ概略断面図）、図３は回転式電子部品１（その一部の部品）の分解斜視図、図４は回転式電子部品１（残りの部品）の分解斜視図、図５は別の方向から見た回転式電子部品１（その一部の部品）の分解斜視図、図６は別の方向から見た回転式電子部品１（残りの部品）の分解斜視図である。これらの図に示すように回転式電子部品１は、第１，第２，第３ケース１０，５０，２５０内に回転式電子部品１を構成する各種部品を収納して構成されている。なお以下の説明において、「上」とは第１，第２ケース１０，５０から第３ケース２５０を見る方向をいい、「下」とはその反対方向をいうものとする。
【００１４】
図１〜図６に示すように回転式電子部品１は、第１ケース１０と第２ケース５０の間に、摺動子１３０を取り付けた回転つまみ１００と、回路基板１５０と、導光体２００とを収納し、さらに第１，第２ケース１０，５０の上方から第３ケース２５０を取り付けて構成されている。
【００１５】
第１ケース１０は合成樹脂の成形品であり、上方と第２ケース５０を向く側が解放された略矩形箱型に形成されている。第１ケース１０の内面の上部には、第２ケース５０側に向けて突出する円柱形状の軸部１１が設けられ、また軸部１１の下側の内面上には円弧状のクリック係合部１３が形成されている。軸部１１の先端側の中央には、ビス挿通孔１７が形成され、軸部１１の根元側の中央にはビス挿入穴１５が形成され、両者は軸部１１内部で連通している。ビス挿通孔１７はビス挿入穴１５よりも内径寸法が小さく、両者の接続部分には段差が生じている。第１ケース１０の下部側壁には、複数本の端子２１がインサート成形によって取り付けられている。各端子２１はＬ字状に折り曲げられ、一方の端部が下面から下方に向けて一列に突出し、他方の端部が第２ケース５０側に向けて一列に突出している。一方第１ケース１０の左右両側壁の下方の位置には、第２ケース係止孔２３が貫通して形成されている。第１ケース１０の略中央位置には、略矩形状の排水口２５が貫通して設けられている。
【００１６】
第２ケース５０は合成樹脂の成形品であり、上方と第１ケース１０を向く側が解放された略矩形箱型に形成されている。第２ケース５０の左右両側壁の前記第１ケース１０の各第２ケース係止孔２３に対向する位置には、第１ケース１０側に向かって突出する係止爪５１が形成されている。第２ケース５０の左右両側壁の上方の開口に近い位置には、小突起爪状の第３ケース係止部５３が形成されている。第２ケース５０の下記する導光体２００の排水ガイド突起２１１に対向する位置には、排水ガイド突起２１１を挿入する排水口５９が設けられている。
【００１７】
図１０は回転つまみ１００を別の角度から見た斜視図である。図３，図５，図１０に示すように、回転つまみ１００は合成樹脂を略円板状に成形した成形品であり、その外周面の一部分（約半周）をつまみ操作面１０５としている。回転つまみ１００の中央には貫通する軸支孔１０９が設けられている。軸支孔１０９内部には内側にリング状に張り出す係止部１１１（図２参照）が形成されている。回転つまみ１００の第２ケース５０側の面は摺動子取付面１１３となっており、この摺動子取付面１１３には３つの小突起状の係止部１１５が設けられている。そして回転つまみ１００の摺動子取付面１１３の周囲（つまみ操作面１０５の内側）には円弧状の溝１１７が形成されている。さらに回転つまみ１００の第１ケース１０側の面の前記軸支孔１０９近傍には、円形の凹部からなるクリック部材挿入穴１１９が形成されている。また図２に示すように、つまみ操作面１０５を設けた側壁部１０３内の所定位置には、透明（又は乳白色等の半透明）な導光体１２１が例えば二材成形によって取り付けられ、その照明部分１２３が側壁部１０３を貫通してつまみ操作面１０５に露出している。
【００１８】
摺動子１３０は弾性金属板をリング状に形成し、等間隔に複数（３つ）の摺動冊子１３１を設け、また各摺動冊子１３１の根元部分に小孔からなる取付部１３３を設けて構成されている。
【００１９】
回路基板１５０は硬質基板１５１の両面に回路パターン（説明に必要なもの以外は記載を省略している）を形成して構成されている。回路基板１５０の第１ケース１０側の面の上部には、円弧状の３本の摺接パターン１５３をリング状に形成している。摺接パターン１５３は回転つまみ１００の回転中心軸を中心としてこれを囲むリング状に配置される。３本の摺接パターン１５３は、それぞれコモンパターンとスイッチパターンと抵抗体パターンで構成されている。なお摺接パターン１５３の種類や形状等に種々の変更が可能であることは言うまでもない。
【００２０】
回路基板１５０の第２ケース５０側の面の中央付近には、複数の電子部品１５５（１５５ａ，ｂ，ｃ，ｄ，ｅ）が取り付けられている。各電子部品１５５ａ〜ｅはチップ型の電子部品であり、その内の電子部品１５５ａは発光素子である。他の電子部品１５５ｂ〜ｅは例えば固定抵抗器やコンデンサやダイオードや半導体素子などである。回路基板１５０の下辺近傍には、複数１列に並ぶ小孔からなる端子取付孔１５７が形成されており、第２ケース５０側の面の各端子取付孔１５７の周囲には半田付け用のランド部１５９が形成されている。
【００２１】
図７〜図９は回路基板１５０と導光体２００の関係を示す図であり、図７は回路基板１５０と導光体２００の斜視図、図８は導光体２００を回路基板１５０側から見た図、図９は回路基板１５０に導光体２００を装着した状態を示す斜視図である。これらの図に示すように、導光体２００は透明（又は半透明）な合成樹脂の成形品であり、例えば透明なアクリル樹脂、透明なポリカーボネート樹脂などによって構成されている。導光体２００は回路基板１５０側の面を解放した略箱型に形成され、その外周側壁２０１の内側根元部分に、外周側壁２０１にほぼ沿うように全周にわたって当接部２０３を設けている。当接部２０３は、回路基板１５０の電子部品１５５を取り付けた側の面の全周を囲む回路基板面に当接する形状に形成されている。このため導光体２００に回路基板１５０を装着した際は、図９に示すように、回路基板１５０は導光体２００の当接部２０３上に当接して支えられ、その外周は外周側壁２０１に囲まれる。言い換えれば、導光体２００は、回路基板１５０の一方の面上の電子部品１５５を覆う構造に構成されている。
【００２２】
導光体２００の上部の外周側壁２０１からは、照光部２０５が突出している。照光部２０５は略円弧板状であり、前記回転つまみ１００の溝１１７に挿入される寸法に形成されている。言い換えれば、図９に示すように、照光部２０５は回路基板１５０の摺接パターン１５３を設けた部分の外周を半周程度囲む位置に設けられている。また導光体２００の第２ケース５０側の面中央付近には、横断面Ｖ字状の横長の凹部からなる光反射部２０７が形成されている。また光反射部２０７の反対側の面の前記発光素子１５５ａに対向する位置には、集光用の横長の半円柱型レンズからなる集光部２０８が形成されている。これら光反射部２０７と集光部２０８は、前記発光素子１５５ａから発射された光を、集光部２０８が集光して光反射部２０７で反射させ、照光部２０５側に向かわせるためのものである。
【００２３】
さらに導光体２００の第２ケース５０側を向く面には、深さの浅い排水ガイド溝２０９が設けられており、下方に向かってその幅を狭め、その下端部には垂直に立設する排水ガイド突起２１１が設けられている。
【００２４】
第３ケース２５０は合成樹脂の成形品であり、下方が解放された略矩形箱型に形成されている。第３ケース２５０の上面の中央付近には横長の略矩形状の開口２５１が形成されており、また開口２５１に隣接する位置には、横長の略矩形状の導光孔２５３が形成されている。また第３ケース２５０の左右両側壁には、前記第２ケース５０の各第３ケース係止部５３に係止される小孔からなる係止部２５５が形成されている。また導光孔２５３の側部には、所望の形状の表示部２５７が設けられている。表示部２５７は透明（又は半透明）であって裏面側を照明することで表面側に照らし出される。表示部２５７は例えば第３ケース２５０を透明な合成樹脂で構成し、その表面に不透明な塗料を塗布した後、表示部２５７の部分の塗料をレーザーなどによって除去して構成したり、いわゆる二材成形によって構成したりすればよい。第３ケース２５０にはその内部に下方から導光部材２６０が挿入されて取り付けられる。導光部材２６０は透明（又は半透明）な合成樹脂を横長の略矩形平板状に成形して構成されており、第３ケース２５０側を向く面には前記導光孔２５３に略ぴったり挿入される形状の挿入部２６１を突設している。
【００２５】
回転式電子部品１を組み立てるには、まず予め、回転つまみ１００の摺動子取付面１１３に摺動子１３０を当接し、その際回転つまみ１００の各係止部１１５を摺動子１３０の各取付部１３３に挿入し、各係止部１１５の先端を熱カシメすることで取り付けておく。
【００２６】
そして回転つまみ１００のクリック部材挿入穴１１９にコイルばね２７０とクリック用ボール２７１とを挿入した状態で、第１ケース１０内に回転つまみ１００を挿入し、第１ケース１０の軸部１１を回転つまみ１００の軸支部１０９内に回動自在に挿入する。そして、軸部１１の先端及び回転つまみ１００の係止部１１１の上にリング状の抜け止め板２８０を載せ、一方第１ケース１０のビス挿入穴１５にその外側からビス２９０を挿入し、ビス２９０の頭部２９１をビス挿入穴１５の底面に当接すると同時に、ビス２９０の先端側部分２９３をビス挿通孔１７に挿入して抜け止め板２８０中央の挿通孔２８１に挿通し、その先端をかしめ、これによって回転つまみ１００を第１ケース１０に回動自在に取り付ける。このときクリック用ボール２７１は第１ケース１０のクリック係合部１３に弾接する。
【００２７】
次に第１ケース１０内に回路基板１５０を収納して取り付ける。このとき、回転つまみ１００に取り付けた摺動子１３０の摺動冊子１３１が、回路基板１５０の摺接パターン１５３に弾接する。これら摺動子１３０と摺接パターン１５３が検出手段を構成する。同時にこのとき第１ケース１０にインサート成形された複数本の端子２１の第２ケース５０側を向く各端部が回路基板１５０の各端子取付孔１５７に挿入されてその反対面側から突出する。そして突出した各端子２１の端部とランド部１５９間を半田３００（図２参照）によって半田付けする。
【００２８】
次に第１ケース１０内に、導光体２００を収納して取り付ける。このとき、前記図９に示すように、導光体２００は回路基板１５０の全周を覆い、その当接部２０３が回路基板１５０の電子部品１５５を取り付けた側の面の全周を囲む回路基板面に当接する。またこのとき、導光体２００の照光部２０５は、回転つまみ１００の溝１１７内に挿入される。つまり照光部２０５は回転つまみ１００のつまみ操作面１０５の背面側に位置する。
【００２９】
次に前記第１ケース１０の回路基板１５０等を取り付けた側に第２ケース５０を被せ、第２ケース５０の各係止爪５１を第１ケース１０の各第２ケース係止孔２３にスナップイン形式で係合し、これによって第１，第２ケース１０，５０を一体化する。このとき導光体２００の排水ガイド突起２１１が第２ケース５０の排水口５９内に挿入される。
【００３０】
次に導光部材２６０を第３ケース２５０の下側から挿入して、導光部材２６０の挿入部２６１を第３ケース２５０の導光孔２５３に挿入した状態で、この第３ケース２５０を第１，第２ケース１０，５０の上部に被せて挿入し、第２ケース５０の各第３ケース係止部５３を第３ケース２５０の各係止部２５５にスナップイン形式で係止し、これによって第１，第２，第３ケース１０，５，２５０（これらを合わせて「ケース」という）を一体化する。このとき回転つまみ１００のつまみ操作面１０５の一部は第３ケース２５０の開口２５１から露出する。これによって回転式電子部品１が完成する。なお上記組立手順はその一例であり、他の各種異なる組立手順を用いて組み立てても良いことはいうまでもない。
【００３１】
以上のようにして組み立てられた回転式電子部品１において、開口２５に露出するつまみ操作面１０５を指等で操作することで回転つまみ１００を回転すると、摺動子１３０の摺動冊子１３１が回路基板１５０の摺接パターン１５３上を摺動し、その検出出力が変化する。同時にクリック用ボール２７１が第１ケース１０のクリック係合部１３の凹凸に係合・離脱することでクリック感触を生じる。
【００３２】
一方発光素子１５５ａを点灯すると、その光の多くは真上方向（回路基板１５０の表面に垂直な方向）に進み、導光体２００に入射し、その多くは集光部２０８で集光された後に光反射部２０７で反射されて上方に進み、さらに導光体２００の上端部分で照光部２０５方向に反射され、これによって第３ケース２５０（その開口２５１の周囲）と回転つまみ１００のつまみ操作面１０５とをその背面側から照明して、第３ケース２５０の表示部２５７と、導光部材２６０の挿入部２６１と、回転つまみ１００の照明部分１２３とを明るく照らし出す。
【００３３】
そして第３ケース２５０の上部から水（液体）がかかった場合（例えばコップが倒れてその中の水全部がこぼれた場合）、水は、第３ケース２５０の開口２５１と回転つまみ１００のつまみ操作面１０５の間の隙間からケース内に浸入する。浸入した水の一部は、回路基板１５０の電子部品１５５を搭載した一方の面側と、摺接パターン１５３を形成した他方の面側に侵入しようとする。
【００３４】
そして回路基板１５０の前記一方の面側に浸入しようとした水は、回路基板１５０の表面が導光体２００によって覆われているので、回路基板１５０の表面に浸入することはなく、導光体２００の外側表面を伝って流れてゆく。これによって導光体２００によって覆われた電子部品１５５への水の浸入を防止することができる。この回転式電子部品１の場合、導光体２００の当接部２０３が電子部品１５５を囲む回路基板１５０の表面に当接しているので、電子部品１５５を確実に防滴できる。特にこの例では、電子部品１５５の全周を囲む回路基板１５０の表面に当接するように導光体２００の当接部２０３を設けたので、防滴効果がより増大する。そして前記浸入した水は、上述のように、回路基板１５０の表面の代りに、導光体２００の外側表面を流れ、第２ケース５０の排水口５９から外部に排水される。導光体２００の表面には排水ガイド溝２０９が設けられているので、水はスムーズに排水口５９に集められ、排水ガイド突起２１１によって排水口５９側に導かれる。
【００３５】
一方回路基板１５０の前記他方の面側に浸入しようとした水は、回路基板１５０の端辺１５１ａ（図２参照）から他方の面側に延ばしてなる導光体２００の照光部２０５の円弧面によって左右に分けられ、これによって摺接パターン１５３や摺動子１３０からなる検出手段から離れる方向に導かれて下方に移動して行き、第１ケース１０の排水口２５から外部に排水される。つまり導光体２００に設けた照光部２０５は、回転つまみ１００のつまみ操作面１０５を照光する機能と同時に、第３ケース２５０の開口２５１から回転つまみ１００の溝１１７内に浸入してきた水を検出手段から離れる方向に導いて防滴する機能を併せ持つ。
【００３６】
以上説明したように、この回転式電子部品１によれば、導光体２００に、光を導く機能の他に、回路基板１５０に取り付けた電子部品１５５（発光素子１５５ａを含む）の防滴機能も併せ持たせることができる。即ち、部品点数を増加することなく、電子部品の防滴を効果的に図ることができる。
【００３７】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば、上記例では、回路基板の一方の面に電子部品を搭載し、他方の面側に回転つまみを配置したが、回転つまみを前記回路基板の一方の面側、即ち電子部品を搭載したのと同一面側に配置し、この回転つまみと回路基板の間に回転つまみの回転に応じて出力を変化する検出手段を設けても良い。
【００３８】
また上記例では第１，第２，第３ケースの３部品によってケースを構成したが、ケースは１部品または３部品以外の複数の部品で構成しても良い。また導光体の形状や構造も種々の変更が可能である。例えば上記例では導光体によって回路基板の一方の面の全てを覆う構造としたが、一部を覆う構造としても良い。また導光体は回路基板に圧入等の手段で固定しても良い。また導光体は回路基板に固定するのではなく、第２ケースに固定しても良い。また不要であれば導光体の当接部を設けなくても良い。要は防滴したい所望の電子部品を覆う構造であればよい。また場合によっては、発光素子自体は導光体によって覆わず、別の場所に設置しても良い。
【００３９】
また上記例では、回転式電子部品をそのケースの開口が真上方向を向くように設置したが、本発明はこれに限られず、斜め上方を向くように設置しても良く、また場合によっては横向きに設置しても良い。
【符号の説明】
【００４０】
１  回転式電子部品（照光機構付き回転式電子部品）
１０  第１ケース（ケース）
５０  第２ケース（ケース）
１００  回転つまみ
１０５  つまみ操作面
１１７  溝
１３０  摺動子（検出手段）
１５０  回路基板
１５３  摺接パターン（検出手段）
１５５ａ  発光素子（電子部品）
１５５（１５５ｂ，ｃ，ｄ，ｅ）  電子部品
２００  導光体
２０３  当接部
２０５  照光部
２５０  第３ケース（ケース）
２５１  開口
【図１】
2015106514.tif 000003
【図２】
2015106514.tif 000004
【図３】
2015106514.tif 000005
【図４】
2015106514.tif 000006
【図５】
2015106514.tif 000007
【図６】
2015106514.tif 000008
【図７】
2015106514.tif 000009
【図８】
2015106514.tif 000010
【図９】
2015106514.tif 000011
【図１０】
2015106514.tif 000012